(57)【特許請求の範囲】
【請求項１】
石膏プラスターボード生産プラントであって、 
上側ケーシング（２７）および下側ケーシング（２８）ならびにその間に配置される単層または多層の石膏コア（２６）から形成される石膏層を受け取るための、ならびに、前記石膏層（１６）を形成し、硬化するための、少なくとも１つの循環コンベアベルトデバイス（１０）を含み、 
ここで、前記コンベアベルトデバイス（１０）は、前記石膏層（１６）の下側（１７）を支持するための支持ベルト（１１）を有し、および、ここで、前記コンベアベルトデバイス（１０）のエリアにおいて、１または２以上の超音波トランスミッタ（１５、２０、２２、２４）を有する超音波適用デバイスは、配置され、 
少なくとも１つの下側超音波トランスミッタが、前記支持ベルト（１１）および前記石膏層（１６）の前記下側（１７）の間に配置され、および、上述の超音波トランスミッタのエリアにおける前記支持ベルトが、偏向デバイス（１３）にわたって誘導されることを特徴とする、前記石膏プラスターボード生産プラント。 
【請求項２】
少なくとも１つの上側超音波トランスミッタ（２０、２２、２４）が提供されることを特徴とする、請求項１に記載の石膏プラスターボード生産プラント。 
【請求項３】
少なくとも１つの超音波トランスミッタ（１５、２０、２２、２４）を含む、平滑化バーなどの、少なくとも１つの下側および／または少なくとも１つの上側平滑化デバイスが提供されることを特徴とする、請求項１または２に記載の石膏プラスターボード生産プラント。 
【請求項４】
少なくとも１つの高さ調整デバイス（２９）が、少なくとも１つの上側および／または少なくとも１つの下側超音波トランスミッタ、および／または、少なくとも１つの平滑化デバイスの高さを調整するために提供されることを特徴とする、請求項１〜３のいずれか一項に記載の石膏プラスターボード生産プラント。 
【請求項５】
少なくとも１つのサイド調整デバイスが、少なくとも１つの上側および／または少なくとも１つの下側超音波トランスミッタ（１５、２０、２２、２４）、および／または、少なくとも１つの平滑化デバイス（１９、２１、２３、２５）の横方向位置を調整するために提供されることを特徴とする、請求項１〜４のいずれか一項に記載の石膏プラスターボード生産プラント。 
【請求項６】
動作中の前記石膏ボード（１６）が、前記下側超音波トランスミッタ（１５）で停止することを特徴とする、請求項１〜５のいずれか一項に記載の石膏プラスターボード生産プラント。 
【請求項７】
少なくとも１つの超音波トランスミッタ（１５、２０、２２、２４）が、制御可能および／または調節可能な仕方において、１０ｋＨｚ〜１００ｋＨの周波数を発するように構成されることを特徴とする、請求項１〜６のいずれか一項に記載の石膏プラスターボード生産プラント。 
【請求項８】
少なくとも１つの超音波トランスミッタ（１５、２０、２２、２４）が、制御可能および／または調節可能な仕方において、５μｍ〜５００μｍの振幅を発するように構成されることを特徴とする、請求項１〜７のいずれか一項に記載の石膏プラスターボード生産プラント。 
【請求項９】
少なくとも１つの超音波トランスミッタ（１５、２０、２２、２４）が、制御可能および／または調節可能な仕方において、少なくとも７００Ｗのパワーを出力するように構成されることを特徴とする、請求項１〜８のいずれか一項に記載の石膏プラスターボード生産プラント。 
【請求項１０】
前記超音波トランスミッタのすべてが、誘導冷却エアフローを通じて前記超音波トランスミッタ（単数または複数）を冷却するように構成される冷却手段と協同することを特徴とする、請求項１〜９のいずれか一項に記載の石膏プラスターボード生産プラント。 
【請求項１１】
前記冷却手段の出力パワーが、前記超音波トランスミッタ（単数または複数）（１５、２０、２２、２４）の温度の関数として制御可能および／または調節可能であることを特徴とする、請求項１０に記載の石膏プラスターボード生産プラント。 
【請求項１２】
少なくとも１つの上側超音波トランスミッタ（２０、２２、２４）が、少なくとも１つの下側超音波トランスミッタ（１５）に面しており、および／または、少なくとも１つの上側トランスミッタ（２２）が、走行方向において少なくとも１つの下側超音波トランスミッタ（１５）の上流に置かれる、および／または、 
少なくとも１つの上側超音波トランスミッタ（２４）が、走行方向において少なくとも１つの下側超音波トランスミッタ（１５）の下流に置かれることを特徴とする、請求項１〜１１のいずれか一項に記載の石膏プラスターボード生産プラント。 
【請求項１３】
前記石膏が硬化し始める前に、超音波曝露が２〜８秒間与えられるような、前記コンベアベルトデバイス（１０）と相対的な位置に前記超音波トランスミッタ（単数または複数）（１５、２０、２２、２４）が配置されること、および／または、前記コンベアベルトデバイスの移送スピードを考慮して、前記それぞれの超音波トランスミッタ（１５、２０、２２、２４）での前記曝露時間（前記照射される表面の滞留時間のそれぞれ）が少なくとも０．４秒であるように、前記超音波トランスミッタ（単数または複数）（１５、２０、２２、２４）の幅が寸法決めされることを特徴とする、請求項１〜１２のいずれか一項に記載の石膏プラスターボード生産プラント。 
【請求項１４】
石膏ボードを生産するための方法であって、 
−  支持ベルト（１１）を有するコンベアベルトデバイス（１０）を提供する、
−  上側ケーシング（２７）および下側ケーシング（２８）ならびにその間に配置される単層または多層の石膏コア（２６）から形成される石膏層（１６）を、前記支持ベルト（１１）上に適用する、 
−  間隙（１４）が、前記支持ベルト（１１）の１つの位置において前記石膏層（１６）の下側（１７）に向かうように形成されるように、前記支持ベルト（１１）を偏向させる、 
−  前記石膏層（１６）の下側の方向において、前記間隙（１４）内で超音波を発する、ステップを含む、前記方法。 
【請求項１５】
請求項１〜１３のいずれか一項に記載の石膏プラスターボード生産プラントを用いた、請求項１４に記載の、石膏プラスターボードを生産するための方法。 
【請求項１６】
前記多層の石膏コア（２６）が、少なくとも１つの化学的および／または物理的特性において異なる層（３０、３１、３２）を少なくとも含むことを特徴とする請求項１４に記載の方法。 
【請求項１７】
前記物理的特性が密度であり、第１の層（３０）が、前記第１の層（３０）と前記上側および／または下側ケーシング（２７、２８）との間に配備される、少なくとも１つの第２の層（３１、３２）よりも低い密度を提示することを特徴とする、請求項１６に記載の方法。 
【請求項１８】
前記 
第１の層が発泡層（３０）であり、前記少なくとも１つの第２の層が非発泡層（３１、３２）である、請求項１７に記載の方法。 
【発明の詳細な説明】
【技術分野】
【０００１】
本発明は、請求項１に記載の石膏プラスターボード生産プラントならびに請求項１４に記載の石膏プラスターボードを生産するための方法に関する。
【背景技術】
【０００２】
石膏ボードの生産プロセスの間に石膏ボードの側の少なくとも１つに超音波を適用することは、DE 20 2005 003 141 U1から既に知られている。したがって、表面伸張は、石膏コアおよび紙の間でより良い粘着を引き起こす小繊維の活性化によって生じるはずである。さらに、ボール紙の中への石膏の、より強くかつより深い浸透は、石膏コアおよび紙の間の改善された接着を確実にする。超音波の適用についての単なる基本的な指示は、比較的高価かつ複雑であるものとして認識される。
【発明の概要】
【０００３】
本発明は、石膏プラスターボード生産プラントならびに石膏プラスターボードを生産するための方法を提案するという課題に基づき、ここで、超音波の適用のための費用は、減らされなければならない。この課題は、請求項１に記載の石膏プラスターボード生産プラントならびに請求項１４に記載の石膏プラスターボードを生産するための方法によって解決される。
【０００４】
課題は、特に、上側ケーシングおよび下側ケーシングならびにその間に配置される単層または多層の石膏コアから形成される石膏層を受け取るための、ならびに、石膏層を形成し、硬化するための、少なくとも１つの循環コンベアベルトデバイスを含む石膏プラスターボード生産プラントによって解決され、ここで、コンベアベルトデバイスは、石膏層の下側を支持するための支持ベルトを有し、および、ここで、コンベアベルトデバイスのエリアにおいて、１または２以上の超音波トランスミッタを有する超音波適用デバイスが配置され、ここで、少なくとも１つの下側超音波トランスミッタは、支持ベルトおよび石膏層の下側の間に配置される。好ましくは、上述の超音波トランスミッタのエリアにおける支持ベルトは、偏向デバイスにわたって誘導される。
【０００５】
用語「下側」、「上側」はそれぞれ、コンベアベルトに関してそれぞれの側の配置を指す。下側は、コンベアベルトの方向において方向づけられるべきである。上側は、コンベアベルトから離れて面する側に対応するべきである。上側は、(生産される石膏プラスターボードの使用において)裏側に対応してもよい。下側は、(使用時において)見える側に対応してもよい。
【０００６】
本発明の中心的アイデアは、超音波トランスミッタの少なくとも１つの下側が、石膏層の下側に面して提供され、したがって、その側上に配置され、そこでは支持ベルトもまた配置されるということにおいて見られることになる。この方策のため、超音波適用もまた、プロセスを遮断することなしに、支持ベルトのその側、すなわち下側で行われてもよい。これは、超音波が石膏層へシンプルかつ効果的に供給され、および、石膏層の中へ結合することを可能にし、同時に、強い接着は、石膏コアおよび上側、下側ケーシングのそれぞれの間で確実にされる。
【０００７】
上側および／または下側ケーシング（単数または複数）は、(少なくとも１つの)プラスターボードシートおよび／または繊維不織布であり得る。シングル石膏ボードの切断動作の前に十分な粘着を保証するために、超音波は、接着表面の上方境界にまで貫通し、および、比較できるほどに急速な仕方において生産されることができるように石膏コア(それぞれプラスタースラリー)および接着材料(例えば、ボール紙および／または繊維不織布)の間での接着を提供し得る。
【０００８】
少なくとも１つの下側トランスミッタに加えて、好ましくは上側超音波トランスミッタが提供される。かかる方策のため、超音波は、（プロセスを遮断することなしに）特に効果的な仕方において、２つの側から供給され得る。
【０００９】
特定の態様において、下側および／または上側平滑化バーなどの、少なくとも１つの下側および／または上側平滑化デバイス（単数または複数）が提供され、それ（それら）は、少なくとも１つの超音波トランスミッタを含む。特に、超音波トランスミッタおよび平滑化デバイスは、石膏層を平滑化するためならびに石膏層に超音波を適用するために提供される共通のモジュールを構成してもよい。石膏プラスターボード生産プラントの構築は、それによってさらに単純化される。超音波は、まさにそこで相乗的な仕方において適用され、そこで平滑化が起き、特に強くかつ信頼できる接着という結果をもたらす。
【００１０】
少なくとも１つの高さ調整手段は、少なくとも１つの上側および／または少なくとも１つの下側超音波トランスミッタおよび／または少なくとも１つの平滑化デバイスの高さを調整するために、様々な態様において提供されてもよい。上側超音波トランスミッタおよび／または上側平滑化デバイスの高さを調整するための高さ調整デバイスが、特に好ましい。急速に行われ得るプロセスは、それによって可能となる。さらに、石膏プラスターボードに対する損傷を、防ぐことができる。ケーシングにおけるひびは、特に始動フェーズの間に回避されて得る。それにもかかわらず、信頼できる超音波適用、平滑化のそれぞれは、上側平滑化デバイスおよび／または上側超音波トランスミッタが石膏層の近くに誘導され得るということにおいて行われ得る。少なくとも１つの下方平滑化デバイスおよび／または少なくとも１つの下方超音波トランスミッタは、必要があれば(したがって、動かせなくすることを実現する必要があれば)、ある位置で固定されてもよい。しかしながら、１つの態様において、下側超音波バーの高さは、下側超音波トランスミッタの動作の高さを（石膏層に関して）０まで減らすために（再）調整されてもよい。これは、エアクッション（Luftpolster）が石膏層および下方平滑化デバイス、下方超音波トランスミッタのそれぞれの間で発達しなくてもよいように、石膏ストランド（Gipsstrang）が下方超音波トランスミッタ、少なくとも１つの下方平滑化デバイスのそれぞれで停止することを保証する。製造プロセスは、それによってさらに改善される。サイドおよび高さ調整デバイスは、１つのユニットにおいて統一されてもよい。好ましくは、斜めの動き、高さおよびサイドの同時の動きのそれぞれもまた、可能である。
【００１１】
加えてまたは代替として、少なくとも１つのサイド調整デバイスは、少なくとも１つの上側および／または少なくとも１つの下側超音波トランスミッタおよび／または少なくとも１つの平滑化デバイスの横方向位置を調整するために、提供されてもよい。少なくとも１つの上側平滑化デバイスおよび／または少なくとも１つの上側超音波トランスミッタが、サイド調整デバイスを介して横方向に動かすことができること(それぞれ横方向で調整可能であること)が、特に好ましい。これはまた、上側平滑化デバイス、少なくとも１つの上側超音波トランスミッタのそれぞれを調整することによって、様々なフェーズ（例えば、始動フェーズおよび実際の動作中のフェーズ）が考慮されることを可能にし、これがさらにプロセスを改善する。
【００１２】
石膏プラスターボード生産プラントは、（動作中の）石膏層が下側平滑化デバイスおよび／または下側超音波トランスミッタに載るように構成されてもよい。したがって、特に効果的な超音波結合入力、特に効果的な平滑化のそれぞれが保証される。
【００１３】
特定の態様において、少なくとも１つの超音波トランスミッタは、１０ｋＨｚ〜１００ｋＨｚの、（好ましくは制御可能および／または調節可能な仕方において）さらに優先的には２５ｋＨｚ〜４０ｋＨｚの周波数を出力するために、実現されてもよい。この好ましい面による超音波トランスミッタ（単数または複数）もまた、示される優先的な範囲内の周波数の固定値で特に動作してもよい。制御可能性および／または調節可能性を与え得る場合、調整可能性は、示される優先的な範囲の全体の幅にわたって、そうでなければ他の範囲にわたって、とりわけ示される優先的な範囲の部分的範囲にわたっても、与えられてもよい。
【００１４】
少なくとも１つの超音波トランスミッタが、５μｍ〜５００μｍの、好ましくは制御可能および／または調節可能な仕方において、好ましくは１０μｍ〜１００μｍの振幅を出力するように構成されることは、特別な態様において提供されてもよい。ここでもまた、超音波トランスミッタ（単数または複数)もまた、振幅の固定値で特に動作してもよい。制御可能性および／または調節可能性を与え得る場合、調整可能性は、示される優先的な範囲全体の幅にわたって、または他に、他の範囲にわたって、とりわけ示される優先的な範囲の部分的範囲にわたっても、与えられてもよい。
【００１５】
さらに好まれる構成において、少なくとも１つの超音波トランスミッタは、好ましくは制御可能および／または調節可能な仕方において、少なくとも７００Ｗのパワーを出力するために実現される。
【００１６】
好ましくは、超音波の平滑化レールとして形成され得る超音波トランスミッタの伝送されるパワーは、曝される表面（したがって、石膏コアから離れて面するボール紙または繊維不織布の表面）上に対してエアロゾル液滴（ミスト液滴）を噴霧することによって増加し得る。例えば、超音波トランスミッタの採用されるパワーが最大で１５００Ｗに設定されるとき、そこで石膏境界層の中に導入されるパワーは、７００Ｗの値に到達するであろう。違いは、熱の形態での、および／または、ケーシングおよび超音波トランスミッタの間の薄いエアクッションによる、伝送損失の結果である。これらの損失は、エアロゾルミストによって達成される薄い水膜（Wasserfilm）によって減らされる。境界層の中への実際のパワー入力は、増加する。
【００１７】
さらに好ましい構成において、超音波トランスミッタの１つは、複数の超音波トランスミッタがあるときは好ましくは超音波トランスミッタのすべては、冷却手段と協同し、該冷却手段は、誘導冷却エアフローを通して超音波トランスミッタ（単数または複数）を冷却するように構成される。かかる強制冷却は、永続的にまたは要求された場合にのみ動作してもよい。誘導冷却エアフローは、１または２以上のファンによって、または、対流の仕方において運転されてもよい。
【００１８】
好ましいさらなる発展において、冷却手段のパワーは、特に超音波トランスミッタ（単数または複数）の温度の関数として制御可能および／または調節可能である。
【００１９】
特定の態様において、少なくとも１つの上側超音波トランスミッタは、少なくとも１つの下側超音波トランスミッタに面してもよい。代替的にまたは追加的に、少なくとも１つの上側超音波トランスミッタは、（走行方向において）少なくとも１つの下側超音波トランスミッタの上流に据えられてもよい。さらに代替的にまたは追加的に、少なくとも１つの上側超音波トランスミッタは、（走行方向において）少なくとも１つの下側超音波トランスミッタの下流に据えられてもよい。上側超音波トランスミッタが下側超音波トランスミッタ「の上流に」据えられるという指示は、プラントの動作中、石膏層のある点が、最初に上側超音波トランスミッタ、および、その後に下側超音波トランスミッタを通り過ぎるというように理解されるべきである。逆に、下側超音波トランスミッタ「の下流に」という指示は、ある点が既に下方超音波ランスミッタを通り過ぎたときにのみ、プラントの動作中の上側超音波トランスミッタが、石膏層のその点に超音波を適用することを意味すべきである。特定の態様において、３つの上側超音波トランスミッタおよび１つの下側超音波トランスミッタが提供されてもよく、ここで、好ましくは１つの上側超音波トランスミッタは、下側超音波トランスミッタの上流に配置され、および／または、１つの上側超音波トランスミッタは、下側超音波トランスミッタに面して配置され、および／または、１つの上側超音波トランスミッタは、下側超音波トランスミッタの下流に配置される。特に強い接着は、それによって提供される。
【００２０】
本発明の配置、本発明の石膏プラスターボード生産プラントのそれぞれは、異なる生産方法をカバーするために想起される。手順は、以下のとおり異なってもよい：
【００２１】
I．均一石膏コア（端部側ケーシングおよび均一石膏コア）を有する均一石膏プラスターボードのために、特に超音波平滑化レールの形態で面する超音波トランスミッタのみが利用される。
【００２２】
II．多層石膏コアを有する石膏プラスターボードのために、超音波トランスミッタの位置づけは、石膏コアの単層の調整される凝結時間によって決められ、例えば、
【００２３】
ａ）石膏ボードの裏側に付随する第２層が、石膏コアの中央の層を形成する第１層よりも、その凝結挙動においてより短くなるように調整される場合、そこで上方超音波トランスミッタ（上方超音波平滑化レール）は、（石膏層の移送方向において）下方超音波トランスミッタ（下方超音波平滑化レール）の上流に位置づけられるであろう。
【００２４】
ｂ）裏側に面する第２層が、石膏コアにおける中央の第１層の凝結時間よりも、その凝結挙動においてより長く調整される場合、そこで上方超音波トランスミッタ（上方超音波平滑化レール）は、石膏層の移送方向において下方超音波トランスミッタ（下方超音波平滑化レール）の下流に位置づけられるであろう。
【００２５】
ｃ）第２層（単数または複数）が、石膏コアの中央の層を形成する第１層と同一の仕方において反応する場合、そこで両方の超音波トランスミッタ（両方の超音波平滑化レール）は、上および下で互いに面するように位置づけられるであろう。
【００２６】
好ましい態様において、超音波トランスミッタ（単数または複数）が、石膏の硬化開始前に好ましくは２〜８秒間、さらに優先的には約４〜５秒間、超音波に曝露されるような、コンベアベルト方向と相対的な位置に配置されること、および／または、超音波トランスミッタ（単数または複数）の幅が、コンベアベルトデバイスの移送スピードを考慮して、それぞれの超音波トランスミッタでの曝露時間（照射される表面の滞留時間のそれぞれ）が少なくとも０．４秒であるように寸法決めされることが、提供される。
【００２７】
上で言及される課題は、石膏プラスターボードなどの構築ボード、および／または、上記のタイプなどの繊維不織布で包まれる石膏プラスターボードを生産するための方法によって、独立して解決され、次のステップを含む：
−  支持ベルトを有するコンベアベルトデバイスを提供すること、
−  上側ケーシングおよび下側ケーシングならびにその間に配置される単層または多層の石膏コアから形成される石膏層を、支持ベルト上に適用すること、
−  間隙が、支持ベルトの１つの位置において石膏層の下側に向けて形成されるように、支持ベルトを偏向させること、
−  石膏層の下側の方向において、間隙内で超音波を発すること。
【００２８】
石膏コアは、石膏コアの化学的および／または物理的特性が層全体の厚さにわたって本質的に同一であるように、１つの層からなってもよい。しかしながら、石膏コアは、少なくとも２つの層を含んでもよい。２つの層は、好ましくは、少なくとも１つの化学的および／または物理的特性、例えばそれらの密度において、異なる。さらに優先的には、第１の、例えば発泡層（コア層）は、第１層と上側および／または下側ケーシングの間に配備される第２の、例えば密集（非発泡）層よりも低い密度を提示してもよい。特定の態様において、石膏プラスターボードは、５つの層、すなわち（コア層としての）第１層、第１層に隣接する２つの第２層、および第２層に隣接する２つのケーシングを含む。石膏コアの第１層、および、また少なくとも１つの第２層の両方は、石膏から少なくとも部分的（例えば、少なくとも体積で１０％または体積で３０％または体積で５０％）に形成される。第１層は、好ましくは、少なくとも１つの第２層よりも少なくとも２倍の厚さ（好ましくは、少なくとも３倍の厚さ、さらに優先的には少なくとも４倍の厚さ）である。特定の態様において、少なくとも１つの第２層の密度は、第１層の密度の少なくとも１．５倍の高さ（好ましくは少なくとも２倍の高さ、またさらに優先的には少なくとも３倍の高さ）である。極度に頑丈な石膏ボードは、多層石膏コアが、超音波適用に沿った相乗的な仕方において提供される場合に達成される。特に相乗的な相互作用は、超音波トランスミッタ（単数または複数）が、とりわけより高い密度を提示する層に作用する場合に得られ得る。超音波結合は、石膏層が特により高い密度、好ましくは与えられる石膏ボード内で最も低い密度の層のそれよりも１．５倍の高さである密度を提示する場合、特に効率的な仕方において作用する。
【００２９】
したがって、本発明によって提案されるデバイス、本発明によって提案される方法のそれぞれは、付随する端部層に下側ケーシングおよび／または上側ケーシングを接続するために特によく適しており、ここで、端部層は、例えば下側ケーシングおよび上側ケーシングがボール紙層として実現される場合、コア層と比較してより高い密度を提示し、結果として、例えば、石膏ボードの付随する端部層への可視ボール紙、石膏ボードの付随する端部層への裏側ボール紙のそれぞれの接着を改善する。
【００３０】
さらなる態様は、従属請求項から続くであろう。
本発明は、図面によってより詳細に説明される例示的な態様に基づいて、さらなる特質および利点に関して、以下に記載されるであろう。
【図面の簡単な説明】
【００３１】
【図１】図１は、本発明による石膏プラスターボード生産プラントを示す図である。
【図２】図２は、多層石膏コアを含む石膏層を示す図である。
【図３】図３は、単層石膏コアを含む石膏層を示す図である。
【図４】図４は、石膏を硬化するプロセスとの関係における、超音波波エネルギーの好まれる曝露時間を図示する図である。
【００３２】
石膏プラスターボード生産プラントは、支持ベルト１１および搬送ローラ１２を有するコンベアベルトデバイス１０、および、（実現による偏向ローラ１３を含む）偏向デバイス１３を含む。間隙１４は、偏向デバイス１３によって、石膏ボード１６および支持ベルト１１の間で作り出される。下側超音波トランスミッタ１５は、間隙１４の内側に配置される。石膏ボード１６の下側１７は、この場合において、支持ベルト１１の方向に向けられる。それに応じて、石膏ボード１６の上側１８は、支持ベルト１１から離れて面している。石膏ボード１６は、偏向ローラ１３のエリアにおいて、（少なくともいくつかのセクションにおける）超音波トランスミッタ１５に載っている。該態様において、超音波トランスミッタ１５は、下側平滑化デバイス１９を備える構築ユニットを構成する。超音波トランスミッタ１５および平滑化デバイス１９の下側構築ユニットの反対に、第１の上側平滑化デバイス２１を備えて構築ユニットを構成する、第１の上側超音波トランスミッタ２０が置かれる。
【００３３】
下側超音波トランスミッタ１５および下側平滑化デバイス１９は、下方梁を形成する。上側平滑化デバイス２１は、上側超音波トランスミッタ２０と一緒に上方梁を形成する。第１の上側超音波トランスミッタ２０の上流に、第２の上側超音波トランスミッタ２２および第２の上側平滑化デバイス２３が置かれる。また、第１の超音波トランスミッタ２０の下流に、第３の上側超音波トランスミッタ２４および第３の上方平滑化デバイス２５が置かれる。図に従って、石膏ボードは、動作中に左から右に運搬される。
【００３４】
石膏ボード１６は、石膏コア２６、上側ケーシング２７および下側ケーシング２８を含む。ケーシング２７、２８は、少なくとも１つのボール紙層および／または少なくとも１つの繊維不織布層であってもよい。上側超音波トランスミッタ２０、２２および２４、上側平滑化デバイス２１、２３および２５のそれぞれは、高さ調整デバイス２９による高さにおいて調整可能であってもよい。さらに、横方向のサイド調整デバイスが提供されてもよい（略図において示されない）。
【００３５】
図２は、石膏層１６の代替的な構造を示す。図２はさらに、（石膏プラスターボードの養生および凝固の後に）石膏プラスターボード生産プラントによって生産される石膏ボードの構造を示す。
【００３６】
石膏層１６は、図１による例としての態様においてと同様に、石膏コア２６、および、上側ケーシング２７および下側ケーシング２８を含む。図２による例示的態様において、石膏コア２６は、第１層３０（コア層）および２つの第２層３１、３２（接続層）を含む。第２層３１は、第１層３０および上側ケーシング２７の間に配備される。第２層３２は、第１層３０および下側ケーシング２８の間に配備される。
【００３７】
第２層３１、３２は、第１層３０（コア層）および上側、下側ケーシング２７、２８のそれぞれの間の接続層としての役目を果たし、および、好ましくは直接、第１層３０および上側、下側ケーシング２７、２８のそれぞれの隣にある。
【００３８】
第１層３０は、発泡石膏層である。第２層３１、３２は、密集の、したがって非発泡またはより強くない発泡の石膏層である。特定の例示的態様において、第１層３０は、ＲＥＡ（ＦＤＧ）石膏、他の工業用石膏、天然石膏またはアルファ石膏でもよい。第２層３１、３２は、例えば、（少なくとも比例的に）リンを含む石膏、天然石膏またはＲＥＡ（ＦＤＧ）石膏でもよい。かかる構造によって、極度に強い接着は、それ自体多層構造および超音波適用の両方に基づく、本発明による超音波適用において達成される。超音波適用による接着の補強は、粘着の引張り強度をテストすることによって、物理的にさえも証明され得る。具体的には、超音波適用がされたおよびされていない単層ボードが比較され、ここで、テストされる石膏ボードは、繊維不織布のケーシングを提示した。石膏層と相対的な繊維不織布の粘着の引張り値は、超音波がされた場合、０．０７７〜０．０８２Ｎ／ｍｍ２の範囲である。石膏層と相対的な繊維不織布の粘着の引張り値は、超音波適用がされた場合、０．０９１〜０．０９５Ｎ／ｍｍ２の範囲である。その限りにおいて、２０％までの増加が実現された。
【００３９】
多層石膏プラスターボードが非常に軽い重さの石膏コアと共に追加的に提供される場合、比較的低い合計重量、および、それにもかかわらず高い安定性を有する石膏ボードが実現されて得る。第１層と比較してより密集した第２層は、相乗的な仕方において、言及した安定性の増加をもたらす。
【００４０】
特に、比較的に軽く、それでも安定的な石膏ボードは、その限りにおいて実現され得る。これは、一方ではケーシング（２７または２８）および第２層（３１または３２）のそれぞれの間の境界層が、および、他方では第２層（３１または３２）および第１層の間の境界層が、超音波適用によって互いに対して信頼可能に接続されるという事実による。
【００４１】
図３において、単層石膏コアを含む石膏層は、本発明が単層石膏ボードに対しても大きな利益になるということを図示するために表される。単層石膏ボードは、この場合において、石膏コア２６およびケーシング２７、２８を含む。
【００４２】
図４において、凝固の開始に先立つ超音波エネルギーの利益として考えられる効果とともに、石膏凝固の時間的経過を図示する図が示される。付随するケーシング２７、２８の最もよく可能な接着が確実にされることになる石膏層は、約２０秒後に凝固し始めるということが、図において図示される。（最大）超音波エネルギーは、可能な限り高い効率を達成するために、前もって約３〜５秒導入されるべきである。超音波パルスの平均幅（最大出力の５０％での幅）は、約７〜１０秒である。
【００４３】
個別にまたはいかなる組合せにおけるいずれかで取られる、上記の部分のすべて、特に図面において図示される詳細は、本発明に対して必須のものとして請求されるという点について、指摘されるべきである。当業者は、その変更に精通しているであろう。
【００４４】
参照番号のリスト：
１０  コンベアベルトデバイス
１１  支持ベルト
１２  搬送ローラ
１３  偏向デバイス（偏向ローラ）
１４  間隙
１５  下側超音波ランスミッタ
１６  石膏層
１７  下側
１８  上側
１９  下側平滑化デバイス
【００４５】
２０  第１の上側超音波トランスミッタ
２１  第１の上側平滑化デバイス
２２  第２の上側超音波トランスミッタ
２３  第２の上側平滑化デバイス
２４  第３の上側超音波トランスミッタ
２５  第３の上側平滑化デバイス
２６  石膏コア
２７  上側ケーシング
２８  下側ケーシング
２９  高さ調整デバイス
【００４６】
３０  第１層
３１  第２層
３２  第２層
【図１】
0006424216.tif 000002
【図２】
0006424216.tif 000003
【図３】
0006424216.tif 000004
【図４】
0006424216.tif 000005